【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
静止画像と、動画像から選択されたフレームとが混在する複数の画像の中から所望の画像を検索するための画像検索装置であって、
前記各画像の特徴量を該各画像とそれぞれ対応付けて記憶する記憶手段と、
表示画面上に描画された画像を検索キーとして提示する画像提示手段と、
前記画像提示手段により提示された画像の特徴量を算出する特徴量算出手段と、
前記記憶手段に記憶された各画像の特徴量と前記特徴量算出手段により算出された画像の特徴量とから、前記各画像のそれぞれに対する前記提示された画像との画像類似度を計算する類似度計算手段と、
前記計算された各画像類似度に基づき前記各画像の中から前記提示された画像に類似する候補画像を検索する検索手段と、
前記検索結果を表示する表示手段と
を備えることを特徴とする画像検索装置。
【請求項２】
前記記憶手段には、前記各画像がそれぞれ静止画像であるか動画像であるかを示す識別データが保持され、前記表示手段は、前記候補画像を一覧表示する際に、該画像が静止画像であるか動画像のフレームであるかを識別可能に表示することを特徴とする請求項１記載の画像検索装置。
【請求項３】
前記記憶手段には、前記動画像のフレームに関しては、何番目のフレームであるかを示すフレーム番号が保持され、前記表示手段は、前記動画像のフレームの画像を表示する際に、該画像に対応するフレーム番号を表示することを特徴とする請求項２記載の画像検索装置。
【請求項４】
前記表示手段は、前記静止画像に対する第１の表示形態と、前記第１の表示形態と異なる前記動画像のフレームに対する第２の表示形態とを有し、前記候補画像に応じた表示形態で該候補画像を表示することを特徴とする請求項２記載の画像検索装置。
【請求項５】
前記画像提示手段は、前記ユーザの入力操作に応じて画像を描画する描画手段を有し、前記描画された画像を前記検索キーとして提示することを特徴とする請求項１記載の画像検索装置。
【請求項６】
前記動画像から選択されたフレームは、シーンチェンジ直後のフレーム、各シーンの中間のフレーム、シーンチェンジから予め定めたフレーム数だけ後のフレーム、ユーザにより指定されたフレームの何れかであることを特徴とする請求項１記載の画像検索装置。
【請求項７】
静止画像と、動画像から選択されたフレームとが混在する複数の画像の中から所望の画像を検索するための画像検索方法であって、
表示画面上に描画さかれた画像を検索キーとして提示する工程と、
前記提示された画像の特徴量を算出する工程と、
記憶手段に前記各画像とそれぞれ対応付けて記憶された前記画像の特徴量と前記算出された画像の特徴量とから、前記各画像のそれぞれに対する前記提示された画像との画像類似度を計算する工程と、
前記計算された各画像類似度に基づき前記各画像の中から前記提示された画像に類似する候補画像を検索する工程と、
前記検索結果を表示手段に表示する工程と
を有することを特徴とする画像検索方法。
【請求項８】
前記記憶手段には、前記各画像がそれぞれ静止画像であるか動画像であるかを示す識別データが保持され、前記候補画像を一覧表示する際に、該画像が静止画像であるか動画像のフレームであるかを識別可能に前記表示手段に表示することを特徴とする請求項７記載の画像検索方法。
【請求項９】
前記記憶手段には、前記動画像のフレームに関しては、先頭から何番目のフレームであるかを示すフレーム番号が保持され、前記動画像のフレームの画像を表示する際には、該画像に対応するフレーム番号を表示することを特徴とする請求項８記載の画像検索方法。
【請求項１０】
静止画像と、動画像から選択されたフレームとが混在する複数の画像の中から所望の画像を検索するための画像検索システムを構築するためのプログラムを格納したコンピュータ読取り可能な記憶媒体であって、
前記プログラムは、
表示画面上に描画された画像を検索キーとして提示する画像提示モジュールと、
前記画像提示モジュールにより提示された画像の特徴量を算出する特徴量算出モジュールと、
記憶手段に前記各画像と対応付けて記憶された前記各画像の特徴量と前記特徴量算出モジュールにより算出された画像の特徴量とから、前記各画像のそれぞれに対する前記提示された画像との画像類似度を計算する類似度計算モジュールと、
前記計算された各画像類似度に基づき前記各画像の中から前記提示された画像に類似する候補画像を検索する検索モジュールと、
前記検索結果を表示手段に表示する表示モジュールと
を有することを特徴とする記憶媒体。
【請求項１１】
静止画像と、動画像から選択されたフレームとが混在する複数の画像の中から所望の画像を検索する画像検索に用いられる画像データベースを構築するための画像データベース構築装置であって、
前記画像データベースに登録する画像を指定する登録画像指定手段と、
前記指定された画像の特徴量を算出する特徴量算出手段と、
前記算出された画像の特徴量を前記指定された画像と対応付けて前記画像データベースに書き込むデータ書込手段と
を備えることを特徴とする画像データベース構築装置。
【請求項１２】
前記指定された画像が静止画像であるか、動画像から選択されたフレームであるかを識別するための識別データを入力する識別データ入力手段を備え、前記データ書込手段は、前記入力された識別データを前記指定された画像と対応付けて前記画像データベースに書き込むことを特徴とする請求項１１記載の画像データベース構築装置。
【請求項１３】
前記指定された画像が動画像から選択されたフレームであるときに、前記動画像の何番目のフレームであるかを示すフレーム番号を入力するフレーム番号入力手段を備え、前記データ書込手段は、前記入力されたフレーム番号を前記指定された画像と対応付けて前記画像データベースに書き込むことを特徴とする請求項１２記載の画像データベース構築装置。
【請求項１４】
前記動画像のフレームは、シーンチェンジ直後のフレーム、各シーンの中間のフレーム、シーンチェンジから予め定めたフレーム数だけ後のフレーム、ユーザにより指定されたフレームの何れかであることを特徴とする請求項１１記載の画像データベース構築方法。
【請求項１５】
静止画像と動画像から選択されたフレームとが混在する複数の画像の中から所望の画像を検索する画像検索に用いられる画像データベースを構築するための画像データベース構築方法であって、
前記画像データベースに登録する画像を指定する工程と、
前記指定された画像の特徴量を算出する工程と、
前記算出された画像の特徴量を前記指定された画像と対応付け可能に前記画像データベースに書き込む工程と
を有することを特徴とする画像データベース構築方法。
【請求項１６】
前記指定された画像が静止画像であるか動画像から選択されたフレームであるかを識別するための識別データを入力する工程と、前記入力された識別データを前記指定された画像と対応付けて前記画像データベースに書き込む工程とを有することを特徴とする請求項１５記載の画像データベース構築方法。
【請求項１７】
前記指定された画像が動画像から選択されたフレームであるときに、前記動画像の何番目のフレームであるかを示すフレーム番号を入力する工程と、前記入力されたフレーム番号を前記指定された画像と対応付け可能に前記画像データベースに書き込む工程とを有することを特徴とする請求項１６記載の画像データベース構築方法。
【請求項１８】
静止画像と動画像から選択されたフレームとが混在する複数の画像の中から所望の画像を検索する画像検索に用いられる画像データベースを構築するためのプログラムを格納したコンピュータ読取り可能な記憶媒体であって、
前記プログラムは、
前記画像データベースに登録する画像を指定する登録画像指定モジュールと、前記指定された画像の特徴量を算出する特徴量算出モジュールと、
前記算出された画像の特徴量を前記指定された画像と対応付け可能に前記画像データベースに書き込むデータ書込モジュールと
を有することを特徴とする記憶媒体。
【手続補正２】
【補正対象書類名】明細書
【補正対象項目名】０００７
【補正方法】変更
【補正の内容】
【０００７】
【課題を解決するための手段】
本発明は、静止画像と、動画像から選択されたフレームとが混在する複数の画像の中から所望の画像を検索するための画像検索装置であって、前記各画像の特徴量を該各画像とそれぞれ対応付けて記憶する記憶手段と、表示画面上に描画された画像を検索キーとして提示する画像提示手段と、前記画像提示手段により提示された画像の特徴量を算出する特徴量算出手段と、前記記憶手段に記憶された各画像の特徴量と前記特徴量算出手段により算出された画像の特徴量とから、前記各画像のそれぞれに対する前記提示された画像との画像類似度を計算する類似度計算手段と、前記計算された各画像類似度に基づき前記各画像の中から前記提示された画像に類似する候補画像を検索する検索手段と、前記検索結果を表示する表示手段とを備えることを特徴とする。
【手続補正３】
【補正対象書類名】明細書
【補正対象項目名】０００８
【補正方法】変更
【補正の内容】
【０００８】
本発明は、静止画像と、動画像から選択されたフレームとが混在する複数の画像の中から所望の画像を検索するための画像検索方法であって、表示画面上に描画さかれた画像を検索キーとして提示する工程と、前記提示された画像の特徴量を算出する工程と、記憶手段に前記各画像とそれぞれ対応付けて記憶された前記画像の特徴量と前記算出された画像の特徴量とから、前記各画像のそれぞれに対する前記提示された画像との画像類似度を計算する工程と、前記計算された各画像類似度に基づき前記各画像の中から前記提示された画像に類似する候補画像を検索する工程と、前記検索結果を表示手段に表示する工程とを有することを特徴とする。
【手続補正４】
【補正対象書類名】明細書
【補正対象項目名】０００９
【補正方法】変更
【補正の内容】
【０００９】
本発明は、静止画像と、動画像から選択されたフレームとが混在する複数の画像の中から所望の画像を検索するための画像検索システムを構築するためのプログラムを格納したコンピュータ読取り可能な記憶媒体であって、前記プログラムは、表示画面上に描画された画像を検索キーとして提示する画像提示モジュールと、前記画像提示モジュールにより提示された画像の特徴量を算出する特徴量算出モジュールと、記憶手段に前記各画像と対応付けて記憶された前記各画像の特徴量と前記特徴量算出モジュールにより算出された画像の特徴量とから、前記各画像のそれぞれに対する前記提示された画像との画像類似度を計算する類似度計算モジュールと、前記計算された各画像類似度に基づき前記各画像の中から前記提示された画像に類似する候補画像を検索する検索モジュールと、前記検索結果を表示手段に表示する表示モジュールとを有することを特徴とする。
【手続補正５】
【補正対象書類名】明細書
【補正対象項目名】００１０
【補正方法】変更
【補正の内容】
【００１０】
本発明は、静止画像と、動画像から選択されたフレームとが混在する複数の画像の中から所望の画像を検索する画像検索に用いられる画像データベースを構築するための画像データベース構築装置であって、前記画像データベースに登録する画像を指定する登録画像指定手段と、前記指定された画像の特徴量を算出する特徴量算出手段と、前記算出された画像の特徴量を前記指定された画像と対応付けて前記画像データベースに書き込むデータ書込手段とを備えることを特徴とする。
【手続補正６】
【補正対象書類名】明細書
【補正対象項目名】００１１
【補正方法】変更
【補正の内容】
【００１１】
本発明は、静止画像と動画像から選択されたフレームとが混在する複数の画像の中から所望の画像を検索する画像検索に用いられる画像データベースを構築するための画像データベース構築方法であって、前記画像データベースに登録する画像を指定する工程と、前記指定された画像の特徴量を算出する工程と、前記算出された画像の特徴量を前記指定された画像と対応付け可能に前記画像データベースに書き込む工程とを有することを特徴とする。
【手続補正７】
【補正対象書類名】明細書
【補正対象項目名】００１２
【補正方法】変更
【補正の内容】
【００１２】
本発明は、静止画像と動画像から選択されたフレームとが混在する複数の画像の中から所望の画像を検索する画像検索に用いられる画像データベースを構築するためのプログラムを格納したコンピュータ読取り可能な記憶媒体であって、前記プログラムは、前記画像データベースに登録する画像を指定する登録画像指定モジュールと、前記指定された画像の特徴量を算出する特徴量算出モジュールと、前記算出された画像の特徴量を前記指定された画像と対応付け可能に前記画像データベースに書き込むデータ書込モジュールとを有することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】削除
【補正の内容】
【手続補正４９】
【補正対象書類名】明細書
【補正対象項目名】００５４
【補正方法】削除
【補正の内容】
【手続補正５０】
【補正対象書類名】明細書
【補正対象項目名】００５５
【補正方法】削除
【補正の内容】
【手続補正５１】
【補正対象書類名】明細書
【補正対象項目名】００５６
【補正方法】削除
【補正の内容】
【手続補正５２】
【補正対象書類名】明細書
【補正対象項目名】００５７
【補正方法】削除
【補正の内容】
【手続補正５３】
【補正対象書類名】明細書
【補正対象項目名】００５８
【補正方法】削除
【補正の内容】
【手続補正５４】
【補正対象書類名】明細書
【補正対象項目名】００５９
【補正方法】削除
【補正の内容】
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】削除
【補正の内容】
【手続補正５７】
【補正対象書類名】明細書
【補正対象項目名】００６２
【補正方法】削除
【補正の内容】
【手続補正５８】
【補正対象書類名】明細書
【補正対象項目名】００６３
【補正方法】削除
【補正の内容】
【手続補正５９】
【補正対象書類名】明細書
【補正対象項目名】００６４
【補正方法】削除
【補正の内容】
【手続補正６０】
【補正対象書類名】明細書
【補正対象項目名】００６５
【補正方法】削除
【補正の内容】
【手続補正６１】
【補正対象書類名】明細書
【補正対象項目名】００６６
【補正方法】削除
【補正の内容】
【手続補正６２】
【補正対象書類名】明細書
【補正対象項目名】００６７
【補正方法】削除
【補正の内容】
【手続補正６３】
【補正対象書類名】明細書
【補正対象項目名】００６８
【補正方法】削除
【補正の内容】
【手続補正６４】
【補正対象書類名】明細書
【補正対象項目名】００６９
【補正方法】削除
【補正の内容】
【手続補正６５】
【補正対象書類名】明細書
【補正対象項目名】００７０
【補正方法】削除
【補正の内容】
【手続補正６６】
【補正対象書類名】明細書
【補正対象項目名】００７１
【補正方法】削除
【補正の内容】
【手続補正６７】
【補正対象書類名】明細書
【補正対象項目名】００７２
【補正方法】削除
【補正の内容】
【手続補正６８】
【補正対象書類名】明細書
【補正対象項目名】００７３
【補正方法】削除
【補正の内容】
【手続補正６９】
【補正対象書類名】明細書
【補正対象項目名】００７４
【補正方法】削除
【補正の内容】
【手続補正７０】
【補正対象書類名】明細書
【補正対象項目名】００７５
【補正方法】削除
【補正の内容】
【手続補正７１】
【補正対象書類名】明細書
【補正対象項目名】００７６
【補正方法】削除
【補正の内容】
【手続補正７２】
【補正対象書類名】明細書
【補正対象項目名】００７７
【補正方法】削除
【補正の内容】
【手続補正７３】
【補正対象書類名】明細書
【補正対象項目名】００７８
【補正方法】削除
【補正の内容】
【手続補正７４】
【補正対象書類名】明細書
【補正対象項目名】００７９
【補正方法】削除
【補正の内容】
【手続補正７５】
【補正対象書類名】明細書
【補正対象項目名】００８０
【補正方法】削除
【補正の内容】
【手続補正７６】
【補正対象書類名】明細書
【補正対象項目名】００８１
【補正方法】削除
【補正の内容】
【手続補正７７】
【補正対象書類名】明細書
【補正対象項目名】００８２
【補正方法】削除
【補正の内容】
【手続補正７８】
【補正対象書類名】明細書
【補正対象項目名】００８３
【補正方法】削除
【補正の内容】
【手続補正７９】
【補正対象書類名】明細書
【補正対象項目名】００８４
【補正方法】削除
【補正の内容】
【手続補正８０】
【補正対象書類名】明細書
【補正対象項目名】０１５６
【補正方法】変更
【補正の内容】
【０１５６】
【発明の効果】
以上説明したように、本発明によれば、静止画像と動画像から選択されたフレームとが混在した複数の画像の中からユーザが意図する画像を容易に検索することができる。
【手続補正８１】
【補正対象書類名】明細書
【補正対象項目名】０１５７
【補正方法】変更
【補正の内容】
【０１５７】
また、本発明によれば、静止画像と動画像から選択されたフレームとが混在した画像検索を容易にするための画像データベースを構築することができる。
【手続補正８２】
【補正対象書類名】明細書
【補正対象項目名】０１５８
【補正方法】削除
【補正の内容】
【手続補正８３】
【補正対象書類名】明細書
【補正対象項目名】０１５９
【補正方法】削除
【補正の内容】
【手続補正８４】
【補正対象書類名】明細書
【補正対象項目名】０１６０
【補正方法】削除
【補正の内容】
【手続補正８５】
【補正対象書類名】明細書
【補正対象項目名】０１６１
【補正方法】削除
【補正の内容】
【手続補正８６】
【補正対象書類名】図面
【補正対象項目名】図１
【補正方法】変更
【補正の内容】
【図１】
2002132826.tif 000001